(57)【要約】【課題】取付け具に対して背負い帯を上方に向いた状態で取付けることができ、ランドセル本体を背負ったときに重く感じることがなく、かつ、痛みを感じる状態が生じないランドセルの背負い帯取付け装置を提供する。【解決手段】ランドセル本体１の背当て部１ａの上部に固定する取付け具１２に、左右一対となる背負い帯結合部材１３を設け、この背負い帯結合部材１３が、取付け具１２に対する取付け部１５の上部に、背負い帯２の接続部１６を上方に突出する延長状に連成して形成され、前記接続部１６に上下一対となる背負い帯の挿通孔１９と２０を設け、背負い帯２の端部を、下位挿通孔１９にランドセル本体１との対面側から挿入して折り返した後、上位挿通孔２０に挿入して背負い帯２の途中と重ね合わせ、この背負い帯２の重なり部分を鋲２１でカシメ結合する。【選択図】図２
2006026392.tif 000002
【特許請求の範囲】
【請求項１】
ランドセル本体の背当て部の上部に固定する取付け具に、左右一対となる背負い帯結合部材を設け、この結合部材にそれぞれ背負い帯を結合するようにしたランドセルの背負い帯取付け装置において、前記背負い帯結合部材が、取付け具に対する取付け部の上部に、背負い帯の接続部を上方に突出する延長状に連成して形成され、前記接続部に上下一対となる背負い帯の挿通孔を設け、背負い帯の端部を、下位挿通孔にランドセル本体との対面側から挿入して折り返した後、上位挿通孔に挿入して背負い帯の途中と重ね合わせ、この背負い帯の重なり部分を結合するようにしたことを特徴とするランドセルの背負い帯取付け装置。
【請求項２】
上記背負い帯結合部材の接続部を、ランドセル本体と反対側の面が上下背負い帯の挿通孔間の位置に向けてランドセル本体側に凹入するよう屈曲させたことを特徴とする請求項１に記載のランドセルの背負い帯取付け装置。
【請求項３】
上記背負い帯結合部材を硬質の合成樹脂で形成したことを特徴とする請求項１又は２に記載のランドセルの背負い帯取付け装置。
【請求項４】
上記背負い帯の重なり部分の結合が、鋲のカシメによって行われていることを特徴とする請求項１乃至３の何れかに記載のランドセルの背負い帯取付け装置。
【発明の詳細な説明】
【技術分野】
【０００１】
この発明は、ランドセルの背当て部の上部に左右一対の背負い帯を取付けるための取付け装置に関する。
【背景技術】
【０００２】
従来、ランドセルの背当て部の上部に左右一対の背負い帯を取付けるための取付け装置は、ランドセル本体の背当て部の上部に固定するフラットな取付け具に、左右一対となる
筒体を固定し、この筒体に背負い帯結合部材である三角環をそれぞれ取付け、三角環に挿入した背負い帯の上端部を折り返し、三角環の一辺を包み込む状態で、背負い帯の折り返した重なり部分を鋲によるカシメや縫着によって結合するようにした構造になっている。
【発明の開示】
【発明が解決しようとする課題】
【０００３】
ところで、従来の取付け装置は、三角環が筒体への嵌挿部分を中心に回動自在になっているため、背負い帯の上端は三角環と一体に回動自在となり、このため、図６のように、ランドセル本体１を背負うと、背負い帯２は三角環３から直接背中の方向に引き出され、ランドセル本体１の重心が背中から離れて後方に傾いてしまい、ランドセル本体１を重く感じるだけでなく、取付け具の下縁が背中に押し当てられ、痛みを感じる状態が生じるという問題がある。
【０００４】
そこで、この発明の課題は、取付け具に対して背負い帯を上方に向いた状態で取付けることができ、ランドセル本体を背負ったときに、背当て部を背中に密着させ、ランドセル本体の重心を背中に近付けることで重く感じることがないようにでき、かつ、痛みを感じる状態が生じないランドセルの背負い帯取付け装置を提供することにある。
【課題を解決するための手段】
【０００５】
上記のような課題を解決するため、この発明は、ランドセル本体の背当て部の上部に固定する取付け具に、左右一対となる背負い帯結合部材を設け、この結合部材にそれぞれ背負い帯を結合するようにしたランドセルの背負い帯取付け装置において、前記背負い帯結合部材が、取付け具に対する取付け部の上部に、背負い帯の接続部を上方に突出する延長状に連成して形成され、前記接続部に上下一対となる背負い帯の挿通孔を設け、背負い帯の端部を、下位挿通孔にランドセル本体との対面側から挿入して折り返した後、上位挿通孔に挿入して背負い帯の途中と重ね合わせ、この背負い帯の重なり部分を結合するようにした構成を採用したものである。
【０００６】
上記背負い帯結合部材の接続部を、ランドセル本体と反対側の面が上下背負い帯の挿通孔間の位置に向けてランドセル本体側に凹入するよう屈曲させた構造とすることができる。
【０００７】
また、上記背負い帯結合部材を硬質の合成樹脂で形成するようにしたり、上記背負い帯の重なり部分の結合が、鋲のカシメによって行われている構造とすることができる。
【０００８】
ここで、上記背負い帯結合部材は、ナイロン等の硬質合成樹脂や金属板を用い、取付け部と接続部が一体に形成され、左右の背負い帯結合部材は、取付け部の下端を取付け具にピンで枢止して所定の幅を左右に揺動自在となり、取付け具との間に設けたばねで互に接近する方向の復帰弾性が付与されている。
【０００９】
また、背負い帯の重なり部分を結合する鋲のカシメ数は、一本と二本の何れでもよく、一本の場合はカシメ位置の両側に縫着を併用すればよく、また、二本の場合は、鋲間に座板を重ねてカシメるようにする。
【発明の効果】
【００１０】
この発明によると、背負い帯結合部材が、取付け具に対する取付け部の上部に、背負い帯の接続部を上方に突出する延長状に連成して形成され、前記接続部に上下一対となる背負い帯の挿通孔を設け、背負い帯の端部を、下位挿通孔にランドセル本体との対面側から挿入して折り返した後、上位挿通孔に挿入して背負い帯の途中と重ね合わせ、この背負い帯のなり部分を結合するようにしたので、接続部に接続した背負い帯は上方に立ち上がり状となり、従って、背負い帯を上方に向いた状態で取付けることができるので、ランドセル本体を背負ったときに、背当て部を背中に密着させることができ、ランドセル本体の重心を背中に近付けることで背負った時に重く感じることがないようにできる。
【００１１】
また、ランドセル本体を背負ったときに、背当て部を背中に密着させることができるので、取付け具の下縁が部分的に背中に当るようなことがなく、痛みを感じる状態が生じない。
【００１２】
更に、背負い帯結合部材の接続部を、ランドセル本体と反対側の面が上下挿通孔間の位置に向けてランドセル本体側に凹入するよう屈曲させると、上下挿通孔に通して取付けた背負い帯の折り返し部分が接続部の凹入部分に納まり、この背負い帯の折り返し部分がランドセル本体と反対の側に突出するのを防ぐことができ、ランドセルを背負ったときに背負い帯の折り返し部分が背中に当って違和感を感じさせるというようなことがなくなる。
【発明を実施するための最良の形態】
【００１３】
以下、この発明の実施の形態を添付図面に基づいて説明する。
【００１４】
図示のように、ランドセルの背負い帯取付け装置１１は、ランドセル本体１の背当て部１ａの上部に固定する取付け具１２と、この取付け具１２に取付けた左右一対となる背負い帯結合部材１３と、取付け具１２の中央上部の位置に取付けた吊り下げ環１４とからなり、前記結合部材１３にそれぞれ背負い帯２の上端側を結合するようになっている。
【００１５】
前記取付け具１２は、ベース部材１２ａとカバー部材１２ｂを組み合わせて鋲等で結合したフラットな横長の略楕円形状に形成され、ランドセル本体１の背当て部１ａの上部に鋲を用いて固定され、両側の上部位置に左右一対となる背負い帯結合部材１３が上方に突出するよう取付けられている。
【００１６】
図１乃至図３において、第１の実施の形態の上記した左右両側の背負い帯結合部材１３は、ナイロン等の硬質合成樹脂や金属板を用い、上下に長いフラットな帯板状の取付け部１５と、この取付け部１５の上端からランドセル本体１と反対側へ斜め上向きに曲がる屈曲部１５ａと、この屈曲部１５ａの上端から連なって上方に張り出す接続部１６を一体成形することによりに形成され、この接続部１６は、背負い帯２よりも少し幅の広い板状になっている。
【００１７】
左右の背負い帯結合部材１３は、取付け部１５が取付け具１２のベース部材１２ａとカバー部材１２ｂの間に収まり、取付け部１５の下端を取付け具１２にピン１７で枢止することにより所定の幅を左右に揺動自在となり、取付け具１２の内部に組み込んだ板ばね１８で互に接近する方向の復帰弾性が付与されている。
【００１８】
上記背負い帯結合部材１３の接続部１６には、背負い帯２を通すため、上下の位置に背負い帯２の幅に対応する横方向に長い挿通孔１９と２０が平行して設けられ、上下挿通孔１９と２０の間が背負い帯２の折り返し部分を引っかけるための横棧２３になっている。
【００１９】
図２のように、左右の背負い帯結合部材１３がストッパー２４に当接して互に接近する位相にある状態で、左右の背負い帯結合部材１３の接続部１６に設けた挿通孔１９と２０は、外側下がりに少し傾斜するような配置になっている。
【００２０】
上記背負い帯結合部材１３に対して背負い帯２を接続するには、図２と図３のように、背負い帯２の上側端部を下向きにして、下位の挿通孔１９に対してランドセル本体１と接続部１６の対面側の上から挿入し、次に、ランドセル本体１と反対側に飛び出た部分を上方に折り返した後、上位挿通孔２０に下から上向きに挿入してランドセル本体１との対面側に引き出し、この上側端部を接続部１６の近接位置において、背負い帯２の途中と重ね合わせ、図３（ａ）のように、この背負い帯２の重なり部分を鋲２１のカシメや縫糸で結合するようにすることにより、背負い帯２の筒状となった折り返し部分２ａを横棧２３に巻掛けることにより、背負い帯２を背負い帯結合部材１３に接続する。
【００２１】
上記のような接続状態で、背負い帯２の上端側は接続部１６から上向きに引き出され、接続部１６の上端部でランドセル本体１と反対側に倒れ込まないように保持された状態となり、このように、背負い帯２の上端を上方に向いた状態で取付けることにより、図５のように、ランドセル本体１を背負ったときに、背当て部１ａを背中に密着させることができ、ランドセル本体１の重心を背中に近付けることで背負ったときに重く感じることがないようにできる。
【００２２】
上記背負い帯２の折り返した重なり部分は、背負い帯２に予め設けた両側鋲孔の部分に二本の鋲２１を打ち込んでカシメるように結合することにより、背負い帯２を背負い帯結合部材１３に接続するものであり、このカシメ固定時において、両側の鋲２１間に座板２２を重ねてカシメるようにする。なお、背負い帯２の重なり部分は、図示省略したが、縫糸で結合するようにしてもよい。
【００２３】
次に、図４、取付け具１２に取付ける背負い帯結合部材１３の第２の実施の形態を示している。なお、第１の実施の形態と同一部分には同一符号を付して説明する。
【００２４】
この第２の実施の形態の背負い帯結合部材１３は、ナイロン等の硬質合成樹脂を用い、上下に長いフラットな帯板状の取付け部１５と、この取付け部１５の上端からランドセル本体１と反対側へ斜め上向きに曲がる屈曲部１５ａと、この屈曲部１５ａの上端から連なって上方に張り出す接続部１６を一体成形することによりに形成され、この接続部１６には、上下の位置に背負い帯２の幅に対応する横方向に長い挿通孔１９と２０が平行して設けられ、上下挿通孔１９と２０の間が背負い帯２の折り返し部分を引っかけるための横棧２３になっている。
【００２５】
上記接続部１６は、ランドセル本体１と反対側の面が上下背負い帯の挿通孔１９、２０間の位置に向けてランドセル本体１側に凹入するよう、側面から見て「く」の字状に屈曲させた構造になっている。
【００２６】
このように、接続部１６を側面から見て「く」の字状に屈曲させると、図４（ａ）のように、上下挿通孔１９、２０に通して取付けた背負い帯２の折り返し部分２ａが接続部１６の凹入部分に納まり、この背負い帯２の折り返し部分２ａがランドセル本体１と反対の側に突出するのを防ぐことができ、ランドセルを背負ったときに背負い帯２の折り返し部分２ａが背中に当って違和感を感じさせるというようなことがなくなる。
【００２７】
この発明のランドセルの背負い帯取付け装置１１は、上記のような構成であり、背負い帯結合部材１３における接続部１６に上下一対の挿通孔１９と２０を設け、背負い帯２の上側端部を下向きにして、下位挿通孔１９にランドセル本体１との対面側から挿入して折り返した後、上位挿通孔２０に挿入してランドセル本体１との対面側に引き出し、この端部を接続部１６の近接位置において、背負い帯２の途中と重ね合わせ、この背負い帯２の重なり部分を鋲２１のカシメや縫糸で結合するようにしたので、取付け具１２の背負い帯結合部材１３に背負い帯２を上方に向いた状態で取付けることができ、背負い帯２を上方に向いた状態で取付けることにより、ランドセル本体１を背負ったときに、背当て部１ａを背中に密着させることができ、ランドセル本体１の重心を背中に近付けることで背負った時に重く感じることがないようにできる。
【００２８】
また、背負い帯結合部材１３は、左右に揺動可能になっているので、児童の体格に合わせて背負い帯２が左右に変動することで背負いやすいと共に、ランドセル本体１を背負ったときに、背当て部１ａを背中に密着させることができるので、取付け具１２の下縁が部分的に背中に当るようなことがなく、痛みを感じる状態が生じない。
【図面の簡単な説明】
【００２９】
【図１】この発明のランドセルの背負い帯取付け装置を用いたランドセルの斜視図
【図２】同上の要部を拡大した一部切り欠き正面図
【図３】（ａ）は第１の実施の形態の背負い帯結合部材を用いたランドセルの背負い帯取付け装置を示す背負い帯接続状態の一部切り欠き拡大側面図、（ｂ）は同背負い帯結合部材の接続部を示す拡大した正面図
【図４】（ａ）は第２の実施の形態の背負い帯結合部材を用いたランドセルの背負い帯取付け装置を示す背負い帯接続状態の一部切り欠き拡大側面図、（ｂ）は同背負い帯結合部材を示す斜視図
【図５】この発明のランドセルの背負い帯取付け装置を用いたランドセルの背負い状態を示す側面図
【図６】従来のランドセルの背負い帯取付け装置を用いたランドセルの背負い状態を示す側面図
【符号の説明】
【００３０】
１        ランドセル本体
２        背負い帯
１１      背負い帯取付け装置
１２      取付け具
１３      背負い帯結合部材
１４      吊り下げ環
１５      取付け部
１６      接続部
１７      ピン
１８      板ばね
１９      挿通孔
２０      挿通孔
２１      鋲
２２      座板
２３      横棧
２４      ストッパー
【図１】
2006026392.tif 000003
【図２】
2006026392.tif 000004
【図３】
2006026392.tif 000005
【図４】
2006026392.tif 000006
【図５】
2006026392.tif 000007
【図６】
2006026392.tif 000008